(57)【特許請求の範囲】
【請求項１】
陰茎の根元に嵌め込まれるリング状の性感体刺激器具であって、
弾性変形可能なリング本体を有し、
リング幅方向からの押圧によりリング幅方向の内側に弾性的に変位する第１変位部を前記リング本体に設けるとともに、
前記第１変位部のリング幅方向の内側への変位に伴って、リング幅方向の外側へ変位する第２変位部を前記リング本体に設け、
前記第２変位部を女性器刺激部として構成し、
さらに、前記リング本体のリング径方向内側に、リング径方向内側に向けて膨張可能な中空構造体を備えたことを特徴とする性感体刺激器具。
【請求項２】
前記第２変位部は、リング径方向の外側へ変位しながら、リング幅方向の外側へ変位する運動を行うことを特徴とする請求項１に記載の性感体刺激器具。
【請求項３】
前記第２変位部は、リング径方向の内周部を支点としてリング径方向の外周部がリング幅方向の外側へ拡開する運動を行うことを特徴とする請求項１又は２に記載の性感体刺激器具。
【請求項４】
陰茎の根元に嵌め込まれるリング状の性感体刺激器具であって、
弾性変形可能なリング本体を有し、
前記リング本体は、
外周方向が開いた溝部を有する断面略Ｕ字状の内リングと、
女性器刺激部を含んで構成され、前記内リングの前記溝部内に嵌め込まれる外リングとを備え、
前記内リングがリング幅方向の両側から押圧力を受けて弾性変形したときに、前記内リングが前記外リングを押圧して前記女性器刺激部を移動させるようになっており、
さらに、前記内リングのリング径方向内側に、リング径方向内側に向けて膨張可能な中空構造体を備えたことを特徴とする性感体刺激器具。
【請求項５】
陰茎の根元に嵌め込まれるリング状の性感体刺激器具であって、
内側の面同士が対向する一対の肉厚部と、両肉厚部を繋ぐように形成された湾曲部とを有する断面略Ｕ字状の外リングと、
外周方向が開いた溝部を有する断面略Ｕ字状の内リングとを有し、
前記外リングは前記内リングの前記溝部内に嵌め込まれており、前記内リングの外側の面が押圧されることによって前記内リングのＵ字状の両先端部が前記外リングの両肉厚部の外側の面を押圧し、前記両肉厚部の内側の面のうち前記湾曲部側の端部が支点となって前記両肉厚部が回転運動し、女性器を刺激するようになっており、
さらに、前記内リングのリング径方向内側に、リング径方向内側に向けて膨張可能な中空構造体を備えたことを特徴とする性感体刺激器具。
【請求項６】
前記内リングの前記溝部内に、前記外リングを前記内リングに対して一定の位置に保つための位置決め部材を設けたことを特徴とする請求項４又は５に記載の性感体刺激器具。
【請求項７】
前記位置決め部材は、前記外リングに一体的に形成されていることを特徴とする請求項６に記載の性感体刺激器具。
【請求項８】
陰茎の根元に嵌め込まれるリング状の性感体刺激器具であって、
外縁部が女性器刺激部となっている外リングと、側面に押圧を受ける内リングとを有し、
外周面側から見て前記内リングがリング幅方向の外側で前記外リングがリング幅方向の内側となり、かつ前記外リングが前記内リングよりもリング径方向の外側に位置するように段差を有する構造となっており、
前記内リングの側面からの押圧により前記外リングの女性器刺激部がリング幅方向の外側に変位して女性器を刺激するようになっており、
さらに、前記内リングのリング径方向内側に、リング径方向内側に向けて膨張可能な中空構造体を備えたことを特徴とする性感体刺激器具。
【請求項９】
陰茎の根元に嵌め込まれるリング状の性感体刺激器具であって、
第１リング部と、この第１リング部とリング幅方向に平行に設けられた第２リング部と、前記第１、第２リング部を保持する弾性変形可能な保持部を有するリング本体を備え、
前記リング本体は、側面からの押圧の変化によって前記第１、第２リング部のリング径方向の外周部間の距離が変化するようになっており、
さらに、前記リング本体のリング径方向内側に、リング径方向内側に向けて膨張可能な中空構造体を備えたことを特徴とする性感体刺激器具。
【請求項１０】
前記保持部は、前記第１、第２リング部のリング径方向の内周部側に位置するとともに、前記第１、第２リング部に比べて肉厚の薄い薄肉部にて前記第１、第２リング部を支持しており、さらに前記薄肉部は、前記第１、第２リング部の側面のうち互いに対向する側面と反対側にて前記第１、第２リング部を支持していることを特徴とする請求項９に記載の性感体刺激器具。
【請求項１１】
前記中空構造体は、エアの注入によって膨張するものであることを特徴とする請求項１ないし１０のいずれか１つに記載の性感体刺激器具。
【請求項１２】
前記中空構造体には、エア注入部を有するホースが取り付けられていることを特徴とする請求項１１に記載の性感体刺激器具。
【請求項１３】
陰茎の根元に嵌め込まれるリング状の性感体刺激器具であって、
弾性変形可能なリング本体を有し、
前記リング本体は、
外周方向が開いた溝部を有する断面略Ｕ字状の内リングと、
女性器刺激部を含んで構成され、前記内リングの前記溝部内に嵌め込まれる外リングとを備え、
前記内リングがリング幅方向の両側から押圧力を受けて弾性変形したときに、前記内リングが前記外リングを押圧して前記女性器刺激部を移動させるようになっており、
さらに、前記外リングのリング幅方向両外側に、前記内リングの最外周部と当接する位置ずれ防止部材を備えたことを特徴とする性感体刺激器具。
【請求項１４】
陰茎の根元に嵌め込まれるリング状の性感体刺激器具であって、
内側の面同士が対向する一対の肉厚部と、両肉厚部を繋ぐように形成された湾曲部とを有する断面略Ｕ字状の外リングと、
外周方向が開いた溝部を有する断面略Ｕ字状の内リングとを有し、
前記外リングは前記内リングの前記溝部内に嵌め込まれており、前記内リングの外側の面が押圧されることによって前記内リングのＵ字状の両先端部が前記外リングの両肉厚部の外側の面を押圧し、前記両肉厚部の内側の面のうち前記湾曲部側の端部が支点となって前記両肉厚部が回転運動し、女性器を刺激するようになっており、
さらに、前記外リングのリング幅方向両外側に、前記内リングの最外周部と当接する位置ずれ防止部材を備えたことを特徴とする性感体刺激器具。
【請求項１５】
前記内リングの前記溝部内に、前記外リングを前記内リングに対して一定の位置に保つための位置決め部材を設けたことを特徴とする請求項１３又は１４に記載の性感体刺激器具。
【請求項１６】
前記位置決め部材は、前記外リングに一体的に形成されていることを特徴とする請求項１５に記載の性感体刺激器具。
【請求項１７】
陰茎の根元に嵌め込まれるリング状の性感体刺激器具であって、
外縁部が女性器刺激部となっている外リングと、側面に押圧を受ける内リングとを有し、
外周面側から見て前記内リングがリング幅方向の外側で前記外リングがリング幅方向の内側となり、かつ前記外リングが前記内リングよりもリング径方向の外側に位置するように段差を有する構造となっており、
前記内リングの側面からの押圧により前記外リングの女性器刺激部がリング幅方向の外側に変位して女性器を刺激するようになっており、
さらに、前記外リングのリング幅方向両外側に、前記内リングの最外周部と当接する位置ずれ防止部材を備えたことを特徴とする性感体刺激器具。
【請求項１８】
前記外リングのリング幅方向両外側に円周状の凸部が形成されており、この凸部の径方向内側に前記位置ずれ防止部材が複数箇所形成されていることを特徴とする請求項１３ないし１７のいずれか１つに記載の性感体刺激器具。
【請求項１９】
前記外リング内にリング形状を保持するリング形状保持部材を備えたことを特徴とする請求項４ないし８、１３ないし１８のいずれか１つに記載の性感体刺激器具。
【請求項２０】
前記リング形状保持部材は、両端が開放した形状のスプリングであることを特徴とする請求項１９に記載の性感体刺激器具。
【請求項２１】
前記外リングと前記内リングの間に空気穴が複数箇所形成されていることを特徴とする請求項４ないし８、１３ないし２０のいずれか１つに記載の性感体刺激器具。
【発明の詳細な説明】
技術分野
本発明は、陰茎の根元に嵌め込まれるリング状の性感体刺激器具に関する。
背景技術
本出願人は、性行為時に女性器を刺激し、女性に性的快感を与えることができる性感体刺激器具（性感体刺激リング）を先に出願した（特願平１１−１９７７５８号）。この性感体刺激器具について、以下説明する。
図１３はその性感体刺激リングの側面図、図１４は性感体刺激リングの正面図、図１５（ａ）は図１３中のＡ−Ａ断面図、図１５（ｂ）は性感体刺激リングの両側から押圧された状態における中央横断面図を示す。
図１３〜図１５に示すように、性感体刺激リング１０は、第１のリングとしての外リング１４を、第２のリングとしての内リング１２に外嵌したものである。
内リング１２は、断面略Ｕ字状の型材が環状に形成されたものである。内リング１２は、断面形状において以下のように形成されている。すなわち、図１５（ａ）に示すように、内リング１２は、内部に凹部（外周方向が開いた溝部）２４を有する断面略Ｕ字状のもので、略Ｕ字の両先端部には女性器刺激部としての一対の肉厚部（第１変位部）１６が形成されている。肉厚部１６は、略正方形状に形成され、内側に突出している。両肉厚部１６間には、両肉厚部１６を繋ぎ両肉厚部１６を支持する湾曲部１８が形成されている。
外リング１４は、内リング１２と同様、断面略Ｕ字状の型材が環状に形成されたものである。外リング１４は、断面形状において以下のように形成されている。すなわち、図１５（ａ）に示すように、略Ｕ字の両先端部には女性器刺激部及び外縁部としての肉厚部（第２変位部）２０が形成されている。肉厚部２０は、略正方形状に形成され、側面から内側に突出している。両肉厚部２０間には、両肉厚部２０を繋ぐように湾曲部２２が形成されている。両肉厚部２０は、内側の面同士が接触している。
なお、両肉厚部２０のうち、図１５（ａ）において左側に位置するのが第１リング部２０ａ、右側に位置するのが第２リング部２０ｂを構成している。第１、第２リング部２０ａ、２０ｂは、内側の面同士が対向し、かつリングの軸方向であるリング軸方向（図の左右方向）に平行に設けられている。また、第１、第２リング部２０ａ、２０ｂは、保持部としての湾曲部２２により支持されている。この湾曲部２２は、第１、第２リング部２０ａ、２０ｂのリング径方向の内周部側（径内方側）に位置するとともに、第１、第２リング部２０ａ、２０ｂに比べて肉厚の薄い薄肉部となっており、第１、第２リング部２０ａ、２０ｂの側面のうち互いに対向する側面と反対側にて第１、第２リング部２０ａ、２０ｂを支持している。
外リング１４の湾曲部２２の内径は、内リング１２の湾曲部１８の内径より少し大きく形成され、内リング１２の外周に形成されている断面略Ｕ字の凹部２４に嵌装されている。内リング１２の肉厚部１６は、外リング１４によって押し広げられ、肉厚部１６の角部が外リング１４の肉厚部２０と湾曲部２２との境界部分に当接している。
このようにして、外リング１４と内リング１２よりなる弾性変形可能なリング本体が構成される。この性感体刺激リング１０は、図１４に示すように、外周面側から見て内リング１２がリング幅方向の外側で外リング１４がリング幅方向の内側となり、かつ外リング１４が内リング１２よりもリング径方向（図１４の上下方向）の外側に位置するように段差を有する構造となっている。
なお、上述した性感体刺激リング１０の材質は、内リング１２、外リング１４とも硬度１５〜２０°Ｈｓの良質のシリコンゴムで、弾性変形可能なものとなっている。
上記した性感体刺激リング１０は、次のようにして用いられる。
まず、性感体刺激リング１０を、図１６に示すように、陰茎Ｉの根元に環装する（嵌め込む）。この状態においては、性感体刺激リング１０は、図１５（ａ）に示すように、原形のままの状態にある。
次に、性感体刺激リング１０を陰茎Ｉの根元に環装した状態で陰茎Ｉを膣Ｖに挿入し、性交を行う。すると、性感体刺激リング１０の側面が男性の下腹部と女性の下腹部との間で押圧され、内リング１２がリング幅方向の両側からの押圧によりリング幅方向の内側に弾性的に変位し、内リング１２の両肉厚部１６の角部が、外リング１４の肉厚部２０と湾曲部２２との境界部分を押圧する。
このとき、外リング１４の肉厚部２０の内側の面のうち湾曲部２２側の端部が支点となって肉厚部２０が回転運動する、すなわちリング径方向の外側へ変位しながらリング幅方向の外側へ変位する運動を行う。言い換えれば、外リング１４の肉厚部２０のリング径方向の外周部がリング径方向の内周部を支点としてリング幅方向の外側へ拡開する運動を行う。その結果、外リング１４の肉厚部２０は、リング幅方向の外側に移動（変位）する。
この状態においては、図１５（ｂ）に示すように、外リング１４の肉厚部２０が内リング１２の肉厚部１６の外側にはみ出し、内リング１２の湾曲部１８が偏平し、内側にはみ出た状態にある。外リング１４の湾曲部２２は、内リング１２の湾曲部１８に挟みこまれる。従って、図１６に示すように、外リング１４の肉厚部２０が女性の外陰部Ｃに接触する。
このように内リング１２がリング幅方向に押圧され、内リング１２の肉厚部１６が内側に弾性的に変位すると、その変位に伴って外リング１４の肉厚部２０がリング幅方向の外側に変位し、第１、第２リング部２０ａ、２０ｂのリング径方向の外周部間（径外方側端部間）の距離が変化する。
また、内リング１２の両側からの押圧が解除されると、図１５（ａ）に示す状態に復帰し、外リング１４の肉厚部２０の女性器の外因部Ｃへの接触が解除される。
従って、性交時には、外リング１４の肉厚部２０の女性器の外陰部Ｃへの接触とその解除を行う動作が繰り返され、女性器の外陰部Ｃが刺激される。
なお、内リング１２の内径と陰茎との大きさとの関係によっては、図１５（ｂ）の状態のとき、すなわち内リング１２の湾曲部１８が偏平し、内側にはみ出た状態のときに、偏平した湾曲部１８によって陰茎の根元が締め付けられる。このような締め付け動作が行われると、射精までの時間が長くなり、早漏で悩んでいる男性にとっては有効である。従って、そのような男性にとっては、締め付け動作が行われるように、内リング１２の内径が調整できるようになっているのが好ましい。
また、上記した性感体刺激リングは、勃起能力が十分ある男性にとっては有効であるが、勃起能力が十分でない男性の場合には、陰茎の勃起を補助する陰茎勃起補助器具を用いて勃起させ、その勃起した状態を維持させるようにすることが必要である。
従来より陰茎勃起補助器具は、種々存在する。陰茎勃起補助器具は、陰茎の勃起を補助するため陰茎を筒状容器内に挿入し、この筒状容器内の空気を吸引（いわゆる真空引き）して減圧し、血液を陰茎に供給して鬱血状態とするものである。本出願人においても、この種の陰茎勃起補助器具を先に出願している（特願２０００−１０２６５８号）。この陰茎勃起補助器の概要について図１７を参照して説明する。
この陰茎勃起補助器は、断面円形の内周面を有する外筒１１１ａと、それよりも若干小径の同じく断面円形の内周面を有する内筒１１１ｂとを有する減圧筒１１１を備えている。内筒１１１ｂの前端は陰茎を挿入する挿入口１１９となっており、その挿入口１１９寄りの内周面全周及び前端全周を覆うエアクッション１２０が装着されている。このエアクッション１２０には、エアを注入するためのエア注入コネクタ１２２が取り付けられている。また、外筒１１ａの後端はキャップ１１５によって封塞されている。
外筒１１１ａの上面には外筒１１１ａ内部から外部へ連通する連通孔１２５が形成されている。外筒１１１ａ上面には連通孔１２５を包囲するように肉厚部１２６が設けられ、この肉厚部１２６には上方に開口した凹部１２８が形成されている。凹部１２８内には、断面円形シリンダ１４０が立設されている。シリンダ１４０の底板１３９には、連通孔１２５に一致する開口部１４１が形成されている。シリンダ１４０内部にはピストン１４２が昇降可能に配設されている。ピストン１４２の上面には、レバー１４５が固着されている。ピストン１４２は、レバー１４５の上下動に伴ってスライド移動する。ピストン１４２を境界としたシリンダ１４０の下方側及び減圧筒１１１は、第１の気室（減圧室）Ｒ１とされ、ピストン１４２を境界としたシリンダ１４０の上方側は、第２の気室Ｒ２とされている。
ピストン１４２には第１の気室Ｒ１と第２の気室Ｒ２間を連通する連通路１４８は形成されている。ピストン１４２の上面であって同連通路１４８の上部開口位置には一方向弁としてのパッキン１４９が固着されている。パッキン１４９は、ピストン１４２が上昇すると連通路１４８を閉じ、下降すると第１の気室Ｒ１から第２の気室Ｒ２への空気の流入を許容する。
また、シリンダ１４０の第２の気室Ｒ２に連通するようにホース１３１が接続されており、このホース１３１の先端にはノズル１３２が装着されている。
このように構成された陰茎勃起補助器具は、次のようにして用いられる。
まず、使用者は自身の陰茎Ｐの根元にリング体１５５を環装し、挿入口１１９から陰茎Ｐを挿入し、エアクッション１２０にリング体１５５を密着させる。また、ノズル１３２をリング体１５５のエア注入コネクタ１５６に挿入する。そして、リング体１５５を挿入口１１９に押しつけた段階で第１の気室Ｒ１は気密状態となる。
使用者はレバー１４５を押してピストン１４２を下方に進出させる。すると、第１の気室Ｒ１内の空気は、第１の気室Ｒ１の体積の減少に伴ってピストン１４２の連通路１４８を通過しパッキン１４９を押し上げながら第２の気室Ｒ２側に移動する。
パッキン１４９が最も下降して底板１３９に当接すると、使用者はレバー１４５を今度は逆に引いてピストン１４２を上方に後退させる。すると、第２の気室Ｒ２内の空気はパッキン１４９によって阻止されるため第１の気室Ｒ１側には移動せず、ホース１３１を介しノズル１３２からリング体１５５内に排気され、リング体１５５を膨らませる。一方、第１の気室Ｒ１はピストン１４２の上方への後退によって体積が増すものの、空気の流入がないため内部は減圧状態となる。従って、陰茎Ｐに血液が流れ込み鬱血して勃起現象が生じる。
次いで、使用者は再びレバー１４５を押して下方に進出させる。以下、このレバー１４５の押引を繰り返すことで第１の気室Ｒ１の減圧は進み、それに伴って血液が更に流れ込み、徐々に陰茎Ｐが勃起していくとともに、リング体１５５が膨張してその内径が縮径する。これによって流れ込んだ血液の流れを阻止でき陰茎Ｐを鬱血状態に保持することができる。
そして、所望の勃起状態及び適度なリング体１５５の締め付け状態となった段階でリング体１５５のエア注入コネクタ１５６からノズル１３２を取り外し、挿入口１１９から陰茎Ｐを抜いて、性行為に移る。
なお、リング体１５５には、シリンダ１４０の第２の気室に連通するホース１３１から圧縮空気を供給するものに限らず、別に設けたポンプ等によりリング体１５５の膨張を行うようにすることもできる。
発明の開示
本発明は、本出願人が先に出願した性感体刺激器具を改良した性感体刺激器具を提供することを目的とする。
具体的には、リング径方向内側の大きさを可変にできるようにすることを目的とする。
また、上記したような勃起補助器具とともに用い、かつリング体１５５の代わりに本出願人が先に出願した性感体刺激器具を用いることができるようにすることを目的とする。
また、性交時に外リングと内リングが位置ずれするのを防止できるようにすることを目的とする。
また、女性に与える性的快感を向上させることを目的とする。
本発明は、上記したいずれかの目的を達成するため、特許請求の範囲の各請求項に記載した特徴を有する。
具体的には、本発明に係る性感体刺激器具は、弾性変形可能なリング本体を有し、リング幅方向からの押圧によりリング幅方向の内側に弾性的に変位する第１変位部をリング本体に設けるとともに、第１変位部のリング幅方向の内側への変位に伴って、リング幅方向の外側へ変位する第２変位部をリング本体に設け、第２変位部を女性器刺激部として構成し、さらにリング本体のリング径方向内側に、リング径方向内側に向けて膨張可能な中空構造体を備えたことを特徴としている。
このように構成することにより、第１変位部のリング幅方向の内側への変位に伴って、リング幅方向の外側へ、女性器刺激部としての第２変位部が変位するので、性交時に女性に性的快感を与えることができる。また、リング本体のリング径方向内側にリング径方向内側に向けて膨張可能な中空構造体を備えているから、リング径方向内側の大きさを可変にすることができる。
この場合、具体的には、第２変位部は、リング径方向の外側へ変位しながら、リング幅方向の外側へ変位する運動を行う。また、請求項３に記載の発明のように、第２変位部は、リング径方向の内周部を支点としてリング径方向の外周部がリング幅方向の外側へ拡開する運動を行う。
また、本発明に係る性感体刺激器具は、弾性変形可能なリング本体を有し、このリング本体は、外周方向が開いた溝部を有する断面略Ｕ字状の内リングと、女性器刺激部を含んで構成され内リングの溝部内に嵌め込まれる外リングとを備え、内リングがリング幅方向の両側から押圧力を受けて弾性変形したときに、内リングが外リングを押圧して女性器刺激部を移動させるようになっており、さらに内リングのリング径方向内側に、リング径方向内側に向けて膨張可能な中空構造体を備えたことを特徴としている。
このように、内リングがリング幅方向の両側から押圧力を受けて弾性変形し、内リングが外リングを押圧して女性器刺激部を移動させるようになっているので、性交時に女性に性的快感を与えることができる。また、内リングのリング径方向内側にリング径方向内側に向けて膨張可能な中空構造体を備えているから、リング径方向内側の大きさを可変にすることができる。
また、本発明に係る性感体刺激器具は、内側の面同士が対向する一対の肉厚部と、両肉厚部を繋ぐように形成された湾曲部とを有する断面略Ｕ字状の外リングと、外周方向が開いた溝部を有する断面略Ｕ字状の内リングとを有し、外リングは内リングの溝部内に嵌め込まれており、内リングの外側の面が押圧されることによって内リングのＵ字状の両先端部が外リングの両肉厚部の外側の面を押圧し、両肉厚部の内側の面のうち湾曲部側の端部が支点となって両肉厚部が回転運動し、女性器を刺激するようになっており、さらに内リングのリング径方向内側に、リング径方向内側に向けて膨張可能な中空構造体を備えることを特徴としている。
このように、内リングの外側の面が押圧されることによって外リングのＵ字状の両先端部が外リングの両肉厚部の外側の面を押圧し、両肉厚部の内側の面のうち湾曲部側の端部が支点となって両肉厚部が回転運動し、女性器を刺激するようになっているので、性交時に女性に性的快感を与えることができる。また、内リングのリング径方向内側にリング径方向内側に向けて膨張可能な中空構造体を備えているから、リング径方向内側の大きさを可変にすることができる。
この場合、内リングの溝部内に、外リングを内リングに対して一定の位置に保つための位置決め部材を設けるようにすれば、外リングが内リングに対しリング径方向にずれたとしても、直ちに外リングを内リングに対し適正な位置に戻すようにすることができる。この位置決め部材は、外リングに一体的に形成したものとすることができる。
なお、上記した両肉厚部のそれぞれの内側の面に、両肉厚部と湾曲部によって形成される空間と外部とを連通する空気穴を形成するための溝を設けるようにすれば、性交時に両肉厚部が外方に変位した状態から元の状態に早く復帰させることができ、両肉厚部の作用を適正に行わせることができる。また、両肉厚部のそれぞれにおいて、リング径方向の外周部におけるリング幅方向の内側端部および外側端部を、アールが設けられた形状にすることにより、性交時に女性に違和感を生じさせないようにすることができる。
また、本発明に係る性感体刺激器具は、外縁部が女性器刺激部となっている外リングと、側面に押圧を受ける内リングとを有し、外周面側から見て内リングがリング幅方向の外側で外リングがリング幅方向の内側となり、かつ外リングが内リングよりもリング径方向の外側に位置するように段差を有する構造となっており、内リングの側面からの押圧により外リングの女性器刺激部がリング幅方向の外側に変位して女性器を刺激するようになっており、さらに内リングのリング径方向内側に、リング径方向内側に向けて膨張可能な中空構造体を備えたことを特徴としている。
このように、内リングの側面からの押圧により外リングの女性器刺激部がリング幅方向の外側に変位して女性器を刺激するようになっているので、性交時に女性に性的快感を与えることができる。また、内リングのリング径方向内側にリング径方向内側に向けて膨張可能な中空構造体を備えているから、リング径方向内側の大きさを可変にすることができる。
また、本発明に係る性感体刺激器具は、第１リング部と、この第１リング部とリング幅方向に平行に設けられた第２リング部と、第１、第２リング部を保持する弾性変形可能な保持部を有するリング本体を備え、リング本体は、側面からの押圧の変化によって第１、第２リング部のリング径方向の外周部間の距離が変化するようになっており、さらに内リングのリング径方向内側に、リング径方向内側に向けて膨張可能な中空構造体を備えたことを特徴としている。
このように、第１、第２リング部と、保持部を有するリング本体において、側面からの押圧の変化によって第１、第２リング部のリング径方向の外周部間の距離が変化するようになっているので、第１又は第２リング部の動作によって性交時に女性に性的快感を与えることができる。また、リング本体のリング径方向内側にリング径方向内側に向けて膨張可能な中空構造体を備えているから、リング径方向内側の大きさを可変にすることができる。
この場合、具体的には、保持部として、第１、第２リング部のリング径方向の内周部側に位置するとともに、第１、第２リング部に比べて肉厚の薄い薄肉部にて第１、第２リング部を支持するようにし、薄肉部を、第１、第２リング部の側面のうち互いに対向する側面と反対側にて第１、第２リング部を支持するように構成することができる。
また、上記した中空構造体は、エアの注入によって膨張するものとすることができる。また、中空構造体に、エア注入部を有するホースを取り付けるようにすれば、中空構造体にエアを注入する操作を行いやすくすることができる。
なお、上述した中空構造体は、後術する実施形態に示すように、リング本体（内リング）に予め固定して取り付けられることの他、取り外し可能に取り付けられていてもよい。
また、本発明に係る性感体刺激器具は、陰茎の根元に嵌め込まれるリング状の性感体刺激器具であって、弾性変形可能なリング本体を有し、リング本体は、外周方向が開いた溝部を有する断面略Ｕ字状の内リングと、女性器刺激部を含んで構成され、内リングの溝部内に嵌め込まれる外リングとを備え、内リングがリング幅方向の両側から押圧力を受けて弾性変形したときに、内リングが外リングを押圧して女性器刺激部を移動させるようになっており、さらに、外リングのリング幅方向両外側に、内リングの最外周部と当接する位置ずれ防止部材を備えたことを特徴としている。
このように、内リングがリング幅方向の両側から押圧力を受けて弾性変形し、内リングが外リングを押圧して女性器刺激部を移動させるようになっているので、性交時に女性に性的快感を与えることができる。また、外リングのリング幅方向両外側に、内リングの最外周部と当接する位置ずれ防止部材を備えているから、性交時に外リングと内リングが位置ずれするのを防止することができる。
また、本発明に係る性感体刺激器具は、内側の面同士が対向する一対の肉厚部と、両肉厚部を繋ぐように形成された湾曲部とを有する断面略Ｕ字状の外リングと、外周方向が開いた溝部を有する断面略Ｕ字状の内リングとを有し、外リングは内リングの溝部内に嵌め込まれており、内リングの外側の面が押圧されることによって内リングのＵ字状の両先端部が外リングの両肉厚部の外側の面を押圧し、両肉厚部の内側の面のうち湾曲部側の端部が支点となって両肉厚部が回転運動し、女性器を刺激するようになっており、さらに外リングのリング幅方向両外側に、内リングの最外周部と当接する位置ずれ防止部材を備えたことを特徴としている。
このように、内リングの外側の面が押圧されることによって外リングのＵ字状の両先端部が外リングの両肉厚部の外側の面を押圧し、両肉厚部の内側の面のうち湾曲部側の端部が支点となって両肉厚部が回転運動し、女性器を刺激するようになっているので、性交時に女性に性的快感を与えることができる。また、外リングのリング幅方向両外側に、内リングの最外周部と当接する位置ずれ防止部材を備えているから、性交時に外リングと内リングが位置ずれするのを防止することができる。
この場合、内リングの溝部内に、外リングを内リングに対して一定の位置に保つための位置決め部材を設けるようにすれば、外リングが内リングに対しリング径方向にずれたとしても、直ちに外リングを内リングに対し適正な位置に戻すようにすることができる。この位置決め部材は、外リングに一体的に形成したものとすることができる。
また、本発明に係る性感体刺激器具は、外縁部が女性器刺激部となっている外リングと、側面に押圧を受ける内リングとを有し、外周面側から見て内リングがリング幅方向の外側で外リングがリング幅方向の内側となり、かつ外リングが内リングよりもリング径方向の外側に位置するように段差を有する構造となっており、内リングの側面からの押圧により外リングの女性器刺激部がリング幅方向の外側に変位して女性器を刺激するようになっており、さらに外リングのリング幅方向両外側に、内リングの最外周部と当該する位置ずれ防止部材を備えたことを特徴としている。
このように、内リングの側面からの押圧により外リングの女性器刺激部がリング幅方向の外側に変位して女性器を刺激するようになっているので、性交時に女性に性的快感を与えることができる。また、外リングのリング幅方向両外側に、内リングの最外周部と当接する位置ずれ防止部材を備えているから、性交時に外リングと内リングが位置ずれするのを防止することができる。
また、外リングのリング幅方向両外側に円周状の凸部を形成し、この凸部の径方向内側に位置ずれ防止部材を複数箇所形成するようにすれば、性交時に内リングを変位しやすくすることができ、しかも位置ずれ防止部材が凸部の径方向外側に位置しているため、女性に与える性的快感を向上させることができる。
また、本発明に係る性感体刺激器具において、外リング内にリング形状を保持するリング形状保持部材を備えるのが好ましい。このリング形状保持部材として、両端が開放した形状のスプリングを用いれば、性交時に外リングと内リングを適度に変形させることができる。
また、外リングと内リングの間に空気穴を複数箇所形成するようにすれば、性交時に内リングが変位した状態から元の状態に早く復帰させることができる。
【図面の簡単な説明】
図１は、本発明の第１実施形態に係る性感体刺激リングにおける外リングの構成を示す図である。
図２は、本発明の第１実施形態に係る性感体刺激リングにおいて外リングを内リングに嵌装した状態を示す図である。
図３は、外リングが内リングに対しリング径方向にずれたとしても、外リングが内リングに対し適正な位置に直ちに戻る状態を説明するための図である。
図４は、外リングおよび内リングのそれぞれの肉厚部の内側の面の構成および外リングおよび内リングに空気穴が形成されることを示す図である。
図５は、外リングを内リングに装着した状態において、さらに内リングのリング径方向内側に中空構造体を装着した状態を示す図である。
図６は、中空構造体のエア注入部にエアポンプを取り付ける状態を示す図である。
図７は、本発明の第２実施形態に係る性感体刺激リングにおいて内リングのリング径方向内側に中空構造体を装着した状態を示す図である。
図８は、図７中の中空構造体の具体的な構成を示す図である。
図９は、本発明の第３実施形態に係る性感体刺激リングにおける外リングの構成を示す図である。
図１０は、本発明の第３実施形態に係る性感体刺激リングにおいて外リングを内リングに嵌装した状態を示す図である。
図１１は、本発明の第３実施形態に係る性感体刺激リングの他の例を示す図である。
図１２は、リング形状保持部材として用いる、両端が開放した形状のスプリングを示す図である。
図１３は、本出願人が先に出願した性感体刺激リングの側面図である。
図１４は、図１３に示す性感体刺激リングの正面図である。
図１５（ａ）は、図１３中のＡ−Ａ断面図、図１５（ｂ）は、図１３に示す性感体刺激リングを両側から押圧した状態における中央横断面図である。
図１６は、図１３を示す性感体刺激リングの使用状態における断面図である。
図１７は、本出願人が先に出願した陰茎勃起補助器具の構成を示す図である。
発明を実施するための最良の形態
以下、本発明を図に示す実施形態について説明する。なお、以下に示す実施形態において、図１３〜図１５で示したものと同一符号のものは、同一もしくは均等のものであることを示している。
（第１実施形態）
この実施形態における性感体刺激リング１０の基本的な構成は、図１３〜図１５に示すものと同様であるので、それとの相違部分を中心にして説明する。
図１に、この実施形態における外リング１４の構成を示す。（ａ）は外リング１４の側面図、（ｂ）は（ａ）中のＢ−Ｂ断面図である。また、図２に、外リング１４を内リング１２に嵌装した状態を示す。（ａ）はその状態の側面図、（ｂ）は（ａ）中のＣ−Ｃ断面図である。但し、この図２には、後術する中空構造体４０は装着されていない。
この実施形態では、図１に示すように、外リング１４は、リング径方向の外周部におけるリング幅方向の内側端部（すなわち外リング１４の肉厚部２０の内側の面のうち湾曲部２２と反対側の端部）および外側端部にアールが設けられた形状になっている。外リング１４の肉厚部２０は、性交時に女性の外陰部に接触するため、その外表面に角があると、女性に違和感を生じさせるが、この実施形態のように、外リング１４の肉厚部２０の外表面の角部を全て丸くした形状にすることにより、女性に違和感を生じさせないようにすることができる。
また、外リング１４の湾曲部２２においてリング径方向内側に突起２６が一体的に形成されている。この突起２６は、外リング１４を内リング１２に嵌装した状態において、図２に示すように、外リング１４を内リング１２に対し一定の距離を保つための位置決め部材として作用する。すなわち、この突起２６を設けない場合、性交時に、外リング１４が内リング１２に対しリング径方向にずれたままとなって、外リング１４の肉厚部２０が適正に作用しない事態が生じ得るが、突起２６を設けることにより、外リング１４が内リング１２に対しリング径方向にずれたとしても、直ちに外リング１４を内リング１２に対し適正な位置に戻すことができる。すなわち、図３（ａ）に示すように、外リング１４が内リング１２に対しリング径方向にずれとき、突起２６が変形し、突起２６はその変形を解除する方向に作用するため、図３（ｂ）に示す状態から図３（ｃ）に示す状態になり、外リング１４を内リング１２に対し適正な位置に戻すことができる。
また、この実施形態では、図４（ａ）に示すように、外リング１４の肉厚部２０のそれぞれの内側の面には、複数の点対象位置、例えば上下左右４ヶ所に溝２０ａが形成されている。また、図４（ｂ）に示すように、内リング１２の肉厚部１６のそれぞれの内側の面には、複数の点対象位置、例えば上下左右４ヶ所に溝１６ａが形成されている。外リング１４を内リング１２に嵌装し、両肉厚部２０の内側の面同士が接触した状態において、上記した溝２０ａにより、図４（ｃ）に示すように、外リング１４における両肉厚部２０と湾曲部２２によって形成される内部の空間と外部とを連通する空気穴２８が形成される。また、上記した溝１６ａにより、図４（ｃ）に示すように、内リング１２の肉厚部１６と湾曲部１８および外リング１４の肉厚部２０とによって形成される内部の空間と外部とを連通する空気穴２９が形成される。
空気穴２８、２９を設けることにより、性交時に両肉厚部２０、１６が外方に変位した状態から元の状態に早く復帰させることができ、両肉厚部２０、１６の作用を適正に行わせることができる。なお、性感体刺激リング１０は、外リング１４を内リング１２に外嵌するものであるから、空気穴２８と空気穴２９の相対的な置関係は、外リング１４と内リング１２の取り付け状態によって変化する。
また、この実施形態では、外リング１４を内リング１２に装着した状態において、さらに内リング１２のリング径方向内側に、図５に示すように、袋体をなす中空構造体４０が装着される。この中空構造体４０は、内部が中空となってエアの注入によりリング径方向内側に向けて膨張するような材料（例えば、シリコンゴムなどの弾性部材）で形成されたものである。この中空構造体４０の中空部４０ｃは、図に示すように断面積が徐々に変化する大きさとなっており、内リング１２の内側の全周に対して設けられていない。このことにより、エアの注入によって中空構造体４０をリング径方向内側に向けて膨張させることができる。なお、中空構造体４０は、内リング１２にはめ込んで取り付けるものとなっている、すなわち内リング１２から取り外し可能になっている。
この中空構造体４０には、内部にエアを注入するためのホース４１が取り付けられている。中空構造体４０は、２つの部材４０ａ、４０ｂから構成されており、部材４０ａ、４０ｂの両端部において一方の部材４０ａを他方の部材４０ｂにはめ込み、接着固定することにより構成されるが、両部材４０ａ、４０ｂの一方側端部において一方の部材４０ａをホース４１とともに他方の部材４０ｂにはめ込んで接着固定することにより、ホース４１を有する中空構造体４０が構成される。
ホース４１の端部には、エア注入部４２が設けられている。このエア注入部４２には、内部にボール４２ａを有する一方弁（エア弁）が備えられており、中空構造体４０の方向にのみエアの供給が許容される。
中空構造体４０のエア注入部４２には、図６に示すように、エアポンプ５０が脱着可能に取り付けられる。そして、エアポンプ５０を取り付けた状態でエアポンプ５０を上下方向（図中の上下の矢印方向）にエアを注入するための操作を行うと、エアポンプ５０からエア注入部４２、ホース４１を介して中空構造体４０の内部にエアが供給される。このエアの供給によって、中空構造体４０が図５中の矢印で示すようにリング径方向内側に向けて膨張し、図５中の破線のような状態になる。
また、この実施形態では、図２に示すように、リング形状を円形に保つリング形状保持部材（例えば、ワイヤまたはスプリング等のリング状部材）３０が、外リング１２にはめ込まれている。このリング形状保持部材３０は、中空構造体４０を膨張させるときに、外リング１４と内リング１２の変形を防ぎ、外リング１４と内リング１２の形状を円形に保つために用いられる。
上記のように構成された性感体刺激リング１０（図５に示す状態のもの）は、次のようにして用いられる。
まず、使用者は、自身の陰茎の根元に図５に示す状態の性感体刺激リング１０を環装する。この状態では未だ陰茎は完全に勃起してはいない。そして、例えば図１７に示すような勃起補助器具（但し、リング体１５５への排気は行わないため、ホース１３１は外しておく）を用い、減圧筒１１１内に陰茎を挿入し、この減圧筒１１１内の空気を吸引（いわゆる真空引き）して減圧し、血液を陰茎に供給して鬱血状態とし、陰茎を勃起状態にする。そして、十分な勃起が得られた状態で、ポンプ５０によりエア注入部４２、ホース４１を介して中空構造体４０にエアを送り、中空構造体４０を膨張させる。このことにより、性感体刺激リング１０の内径が縮径し、流れ込んだ血液の流れを阻止して、陰茎を鬱血状態に保持することができる。
その後、勃起補助器具から陰茎を抜き、性行為に移る。その性交時には、性感体刺激リング１０は、図１３〜図１５に示したものと同様の動作を行う。
すなわち、性感体刺激リング１０の側面が男性の下腹部と女性の下腹部との間で押圧され、内リング１２がリング幅方向の両側からの押圧によりリング幅方向の内側に弾性的に変位し、内リング１２の両肉厚部１６の角部が、外リング１４の肉厚部２０と湾曲部２２との境界部分を押圧する。このとき、外リング１４の肉厚部２０の内側の面のうち湾曲部２２側の端部が支点となって肉厚部２０が回転運動、すなわちリング径方向の外側へ変位しながらリング幅方向の外側へ変位する運動を行う。言い換えれば、外リング１４の肉厚部２０のリング径方向の外周部がリング径方向の内周部を支点としてリング幅方向の外側へ拡開する運動を行う。その結果、外リング１４の肉厚部２０は、リング幅方向の外側に移動（変位）し、女性の外陰部に接触する。
このように内リング１２がリング幅方向に押圧され、内リング１２の肉厚部１６が内側に弾性的に変位すると、その変位に伴って外リング１４の肉厚部２０がリング幅方向の外側に変位し、第１、第２リング部２０ａ、２０ｂのリング径方向の外周部間（径外方側端部間）の距離が変化する。
従って、性交時には、外リング１４の肉厚部２０の女性器の外陰部への接触とその解除を行う動作が繰り返され、女性器の外陰部が刺激される。
なお、上記した性感体刺激リング１０は、図１７に示す勃起補助器具以外の勃起補助器具とともに用いるようにしてもよい。
また、上記した性感体刺激リング１０は、そのような勃起補助器具を用いる以外の場合にも有効に利用することができる。すなわち、中空構造体４０の膨張によって、内リング１２の内径を調整することができ、性交時に締め付け動作を加えるようにすることができる。この締め付け動作によって、射精までの時間が長くなり、早漏で悩んでいる男性にとっては、有効なものとなる。
（第２実施形態）
図７に、中空構造体４０を他の構成にした実施形態を示す。この実施形態における中空構造体４０は、内部が中空となってエアの注入によりリング径方向内側に向けて膨張する膨張部４３と、この膨張部４３を内リング１２の内側に取り付けるための取り付け部４４ａ、４４ｂ、４４ｃを備えている。なお、内リング１２には、取り付け部４４ａ、４４ｂ、４４ｃを取り付けるための穴がそれぞれ設けられている。また、外リング１４に形成された突起２６には、取り付け部４４ａ、４４ｂ、４４ｃの取り付け位置スペースを確保するため、図に示すように切り欠き２６ａ、２６ｂ、２６ｃがそれぞれ形成されている。
中空構造体４０の３つの取り付け部４４ａ、４４ｂ、４４ｃのうち取り付け部４４ａだけが開口部を有している。取り付け部４４ａの開口部には、ホース４１の一端側が接着固定等によって取り付けられている。ホース４１は、外リング１４の両肉厚部２０に形成された図示しない溝を通り、リング形状保持部材３０の横から外リング１４の湾曲部２２に形成された図示しない穴を通って取り付け部４４ａの開口部に取り付けられている。
このような構成において、ホース４１の他端にあるエア注入部４２にエアポンプ５０を取り付け、エアポンプ５０を動作させると、エアポンプ４２からエア注入部４２、ホース４１を介して中空構造体４０の内部にエアが供給され、膨張部４３が図中の矢印方向に膨張し、図中の破線のような状態になる。
図８に、上記した中空構造体４０の具体的な構成を示す。（ａ）は（ｂ）のＥ−Ｅ断面図、（ｂ）は上面図、（ｃ）は（ａ）中のＦ−Ｆ断面図である。この中空構造体４０は、エアの注入によって膨張できる材質のもの（例えば、シリコンゴム）で構成されており、膨張部４３が容易に膨張できるように上面が波形の形状になっている。この中空構造体４０を成形する場合、その成形上の制約から取り付け部４４ａ、４４ｃに開口部４４１ａ、４４１ｃがそれぞれ形成されるが、取り付け部４４ａのみからエアの注入を行うため、取り付け部４４ｃの開口部４４１ｃは、図示しない充填部材によって封止される。
なお、上記した第１、第２の実施形態では、中空構造体４０にホース４１が予め取り付けられているため、中空構造体４０にエアを注入する操作を行いやすくすることができるが、中空構造体４０にノズルを挿入してエアを注入し、ノズルを外した後もエアの保持ができるような構成になっていてもよい。
また、上記した第１、第２実施形態では、内リング１２と外リング１４を別体としてリング本体を構成するものを示したが、側面からの押圧の変化によってリング径方向の外周部間の距離が変化するものであれば、リング本体が一体的に形成されているものであってもよい。
（第３実施形態）
次に、本発明の第３実施形態における性感体刺激リング１０について説明する。このものの基本的な構成は、図１、図２に示すものと同様であるので、それとの相違部分を中心にして説明する。
図９に、この実施形態における外リング１４の構成を示す。（ａ）は外リング１４の側面図、（ｂ）は（ａ）中のＧ−Ｇ断面図である。また、図１０に、外リング１４を内リング１２に嵌装した状態を示す。（ａ）はその状態の側面図、（ｂ）は（ａ）中のＨ−Ｈ断面図である。
この実施形態では、図９に示すように、外リング１４の両肉厚部２０のそれぞれの外側（リング幅方向外側）の表面に円周状の凸部６１が形成されている。また、この凸部６１の内側（径方向内側）には、複数の点対象位置、例えば上下左右４ヶ所につば部６２が形成されている。凸部６１とつば部６２は、外リング１４と一体に形成されている。
このような外リング１４を内リング１２に嵌装すると、図１０に示すように、内リング１２の最外周部が、凸部６１の内側４ヶ所に形成されたつば部６２に当接する。このことによって、性交時に、外リング１４と内リング１２が位置ずれするのを防止することができる。このつば部６２は、内リングの最外周部と複数箇所で当接して、外リング１４と内リング１２の位置ずれを防止する位置ずれ防止部材を構成している。
なお、この位置ずれ防止部材としては、図１１に示すように、外リング１４の両肉厚部２０のそれぞれの外側の表面に形成した円周状の凸部６１とすることもできる。このようにすると、外リング１４を内リング１２に嵌装したとき、凸部６１が内リング１２の最外周部に円周状に当接する。なお、図１１において、（ａ）は外リング１４を内リング１２に嵌装した状態の側面図、（ｂ）は（ａ）中のＩ−Ｉ断面図である。しかし、このように構成した場合、性交時に内リング１２が凸部６１によって変位しにくくなるため、性交時に内リング１２の両肉厚部１６を変位しやすくするという点からすれば、図９、図１０に示すように、凸部６１を外リング１４の外周部側にｔだけ移動させ、凸部６１の内側につば部６２を複数箇所設け、つば部６２で位置ずれ防止をするようにするのが好ましい。なお、つば部６２の数は、４つ以外でもよい。
また、凸部６１を外リング１４の外周部側に移動させることによって、女性に与える性的快感を向上させることができる。すなわち、図１、図２に示すものでは、性交時に外リング１４の肉厚部２０がリング幅方向の外側へ拡開する運動を行うことによって、外リング１４の外側端部のアールの部分が女性の外陰部に接触し、女性に性的快感を与えるものであるが、上記したような凸部６１を設けると、その凸部６１もリング幅方向の外側へ拡開する運動を行い、凸部も女性の外陰部に接触するため、女性に与える性的快感を向上させることができる。
この場合、図９、図１０に示すように、凸部６１を図１１に示すものより、外リング１４の外周部側に移動させた方が、凸部６１がリング幅方向の外側へ拡開する運動が大きくなるため、女性に与える性的快感を大きくさせることができる。
また、この実施形態では、内リング１２の肉厚部１６の内側の面に形成する溝１６ａの数を第１実施形態よりも多くし、例えば８ヶ所として、空気穴２９の数を８ヶ所としている。このように空気穴２９の数を多くすることによって、性交時に両肉厚部２０、１６が外方に変位した状態から元の状態に早く復帰させることができるという効果に加え、性交時に女性器から溢れる体液を空気穴２９から内リング１２の湾曲部１８内に逃がし、体液によって両肉厚部２０、１６の動きが悪くなるといった不具合を防ぐことができる。
また、この実施形態では、リング形状保持部材３０として、図１２に示すようなスプリング３０を用いている。リング形状保持部材３０を閉ループ形状とすると、外リング１４と内リング１２の形状を円形に保つことができるが、性交時に外リング１４と内リング１２が変形しにくくなってしまう。これに対し、リング形状保持部材３０としてスプリング３０を用い、図１２に示すように両端が開放した形状とすることにより、外リング１４と内リング１２の形状を円形に保つとともに、性交時に外リング１４と内リング１２を適度に変形させることができる。
なお、この第３実施形態に係る性感体刺激リング１０は、図１０に示す状態で使用する。また、上記した第１、第２実施形態で示した中空構造体４０を内リング１２のリング径方向内側に装着して使用するようにしてもよい。
（他の実施形態）
リングの内径の大きさ、外径の大きさ、幅は適宜複数のサイズのものを用意してもよい。この場合は、陰茎の太さ等の個人差に応じて適当なサイズのものを選ぶことができる。
また、シリコンゴムの硬度は、適宜複数の硬度のものを用意してもよい。この場合は好みの硬度のものを選ぶことができる。
【図１】
0003649184.tif 000002
【図２】
0003649184.tif 000003
【図３】
0003649184.tif 000004
【図４】
0003649184.tif 000005
【図５】
0003649184.tif 000006
【図６】
0003649184.tif 000007
【図７】
0003649184.tif 000008
【図８】
0003649184.tif 000009
【図９】
0003649184.tif 000010
【図１０】
0003649184.tif 000011
【図１１】
0003649184.tif 000012
【図１２】
0003649184.tif 000013
【図１３】
0003649184.tif 000014
【図１４】
0003649184.tif 000015
【図１５】
0003649184.tif 000016
【図１６】
0003649184.tif 000017
【図１７】
0003649184.tif 000018